(57)【要約】      （修正有）【課題】入力電圧が変動しても、より正確に電流検出することが可能なＬＤＯ型電圧レギュレータを提供する。【解決手段】ＬＤＯ型電圧レギュレータ１００は、比較結果信号に応じて、第１の制御トランジスタＴ１の他端と固定電位との間の抵抗値を第１の抵抗値に設定し且つ第２の制御トランジスタＴ２の他端と固定電位との間を遮断した第１の状態と、第１の制御トランジスタの他端と固定電位との間を遮断し且つ第２の制御トランジスタの他端と固定電位との間の抵抗値を第２の抵抗値に設定した第２の状態とを切り換える抵抗回路を備える。抵抗回路は、第１の状態において、第１の制御トランジスタの他端の電圧に基づいた検出電圧を出力ノードから出力し、一方、第２の状態において、第２の制御トランジスタの他端の電圧に基づいた検出電圧を出力ノードから出力する。【選択図】図１
2015172904.tif 000002
【特許請求の範囲】
【請求項１】
一端が電源端子に接続され、他端が、出力電圧が出力される出力端子に接続された出力トランジスタと、
一端が前記電源端子に接続され、ゲートが前記出力トランジスタのゲートに接続された第１の検出トランジスタと、
一端が前記第１の検出トランジスタの他端に接続された第１の制御トランジスタと、
前記出力トランジスタの他端の電圧と前記第１の検出トランジスタの他端の電圧とが等しくなるように、前記第１の制御トランジスタのゲート電圧を制御する第１のアンプ回路と、
一端が前記電源端子に接続され、ゲートが前記出力トランジスタのゲートに接続された第２の検出トランジスタと、
一端が前記第２の検出トランジスタの他端に接続された第２の制御トランジスタと、
前記出力トランジスタの他端の電圧と前記第２の検出トランジスタの他端の電圧とが等しくなるように、前記第２の制御トランジスタのゲート電圧を制御する第２のアンプ回路と、
第１の基準電圧と前記出力電圧が等しくなるように、前記出力トランジスタのゲート電圧を制御する第３のアンプ回路と、
前記電源電圧と前記出力電圧を比較し、この比較結果に基づいた比較結果信号を出力するコンパレータと、
前記第１の制御トランジスタの他端と固定電位との間に第１の抵抗値を有する第１の抵抗と、前記第２の制御トランジスタの他端と前記固定電位との間に第２の抵抗値を有する第２の抵抗とを備える抵抗回路と、を備え、
前記電源電圧と前記出力電圧の電位差が基準値以上場合、前記第１の制御トランジスタの他端の電圧に基づいた検出電圧を出力ノードから出力し、
一方、前記電位差が前記基準値よりも小さい場合、前記第２の制御トランジスタの他端の電圧に基づいた検出電圧を前記出力ノードから出力する
ことを特徴とするＬＤＯ型電圧レギュレータ。
【請求項２】
前記第１の抵抗値と前記第２の抵抗値は異なる値である
ことを特徴とする請求項１に記載のＬＤＯ型電圧レギュレータ。
【請求項３】
前記第１の抵抗値は、前記電位差が前記基準値以上の場合、前記第１の制御トランジスタの他端の電圧が予め設定された目標値になるように、設定され、
前記第２の抵抗値は、前記電位差が前記基準値より小さい場合、前記第２の制御トランジスタの他端の電圧が前記目標値になるように、設定されている
ことを特徴とする請求項１又は請求項２に記載のＬＤＯ型電圧レギュレータ。
【請求項４】
前記第１の検出トランジスタおよび前記第２の検出トランジスタのサイズは、前記出力トランジスタのサイズよりも、小さい  ことを特徴とする請求項１乃至請求項３のいずれか１項に記載のＬＤＯ型電圧レギュレータ。
【請求項５】
前記抵抗回路は、
前記第１の抵抗は、第１の可変抵抗であり、
前記第２の抵抗は、第２の可変抵抗であり、
前記比較結果信号に応じて、前記第１の制御トランジスタの他端と前記出力ノードとが接続され且つ前記第２の制御トランジスタの他端と前記出力ノードとの間が遮断された第１の状態と、前記第１の制御トランジスタの他端と前記出力ノードとが遮断され且つ前記第２の制御トランジスタの他端と前記出力ノードとの間が接続された第２の状態と、切り換えるスイッチ回路と、を備える
ことを特徴とする請求項１乃至請求項４のいずれか１項に記載のＬＤＯ型電圧レギュレータ。
【請求項６】
前記抵抗回路は、
前記第１の抵抗及び前記第２の抵抗を共通にした可変抵抗であり、前記可変抵抗は、前記出力ノードと前記固定電位との間に配置され、
前記出力ノードと前記第１の制御トランジスタの他端及び前記第２の制御トランジスタの他端との間に配置されたスイッチ回路と、
前記比較結果信号に応じて、前記電位差が前記基準値以上の場合前記可変抵抗の抵抗値を前記第１の抵抗値とし、前記電位差が前記基準値より小さい場合前記可変抵抗の抵抗値を前記第２の抵抗値に設定する制御回路と
を備え、
前記スイッチ回路は、
前記電位差が前記基準値以上の場合、前記出力ノードと前記第１の制御トランジスタの他端を接続し且つ前記出力ノードと前記第２の制御トランジスタの他端を遮断し、
前記電位差が前記基準値より小さい場合、前記出力ノードと前記第１の制御トランジスタの他端を遮断し且つ前記第２の制御トランジスタの他端を接続する
ことを特徴とする請求項１乃至請求項４のいずれか１項に記載のＬＤＯ型電圧レギュレータ。
【請求項７】
前記検出電圧をアナログ／デジタル変換するアナログ／デジタル変換回路をさらに備えることを特徴とする請求項１乃至請求項６のいずれか１項に記載のＬＤＯ型電圧レギュレータ。
【請求項８】
送電装置から無線給電によって送電された電力を受電し、得られた電流を整流して出力する受電装置であって、
第１の受電端子と第２の受電端子との間に接続され、前記送電装置の送電コイルと電磁結合する受電コイルと、
前記第１の受電端子と前記第２の受電端子との間で、前記受電コイルと直列に接続された受電コンデンサと、
第１の受電端子と第２の受電端子との間の電圧を整流して電源端子に供給する整流装置と、
電源端子の電圧から生成した出力電圧を出力端子から出力するＬＤＯ型電圧レギュレータと、
前記出力電圧が供給される負荷回路と、を備え、
前記ＬＤＯ型電圧レギュレータは、
一端が前記電源端子に接続され、他端が、前記出力電圧が出力される前記出力端子に接続された出力トランジスタと、
一端が前記電源端子に接続され、ゲートが前記出力トランジスタのゲートに接続された第１の検出トランジスタと、
一端が前記第１の検出トランジスタの他端に接続された第１の制御トランジスタと、
前記出力トランジスタの他端の電圧と前記第１の検出トランジスタの他端の電圧とが等しくなるように、前記第１の制御トランジスタのゲート電圧を制御する第１のアンプ回路と、
一端が前記電源端子に接続され、ゲートが前記出力トランジスタのゲートに接続された第２の検出トランジスタと、
一端が前記第２の検出トランジスタの他端に接続された第２の制御トランジスタと、
前記出力トランジスタの他端の電圧と前記第２の検出トランジスタの他端の電圧とが等しくなるように、前記第２の制御トランジスタのゲート電圧を制御する第２のアンプ回路と、
第１の基準電圧と前記出力電圧が等しくなるように、前記出力トランジスタのゲート電圧を制御する第３のアンプ回路と、
前記電源電圧と前記出力電圧との電位差と、基準値とを比較し、この比較結果に基づいた比較結果信号を出力するコンパレータと、
前記第１の制御トランジスタの他端と固定電位との間に第１の抵抗値を有する第１の抵抗と、前記第２の制御トランジスタの他端と前記固定電位との間に第２の抵抗値を有する第２の抵抗と備える抵抗回路と、を備え、
前記電源電圧と前記出力電圧の電位差が基準値以上場合、前記第１の制御トランジスタの他端の電圧に基づいた検出電圧を出力ノードから出力し、
一方、前記電位差が前記基準値よりも小さい場合、前記第２の制御トランジスタの他端の電圧に基づいた検出電圧を前記出力ノードから出力する
ことを特徴とする受電装置。
【発明の詳細な説明】
【技術分野】
【０００１】
本発明の実施形態は、ＬＤＯ（Ｌｏｗ  ＤｒｏｐＯｕｔ）型電圧レギュレータ、及び、受電装置に関する。
【背景技術】
【０００２】
従来のＬＤＯ型電圧レギュレータには、出力電流を検出するために出力トランジスタと別に電流検出用トランジスタを備え、電流検出するものがある。ＬＤＯ型電圧レギュレータの動作時、検出用トランジスタとセンス用トランジスタは、完全にＯＮして、スイッチとして機能する。
【０００３】
通常、大電流を流すＬＤＯ型電圧レギュレータにおいて、出力トランジスタと検出用トランジスタを兼用させる場合、抵抗比を完全に合わせてペア性を取らなければならない。しかし、出力トランジスタが大きいためペア性を取ることができず実現することは困難である。
【０００４】
また、出力トランジスタのサイズによっては電流によって電流密度が変わりデバイスの抵抗値が一律にならない可能性もある。
【０００５】
したがって、入力電圧が変動し出力トランジスタのドレイン・ソース電圧が大きく変わる場合は、正確な電流検出が出来ない。
【先行技術文献】
【特許文献】
【０００６】
【特許文献１】特開２００７−２２６３９２号公報
【特許文献２】特開２０１３−３６９９号公報
【特許文献３】特開２０１３−３７００号公報
【発明の概要】
【発明が解決しようとする課題】
【０００７】
入力電圧が変動しても、より正確に電流検出することが可能なＬＤＯ型電圧レギュレータを提供する。
【課題を解決するための手段】
【０００８】
本発明の一態様に係るＬＤＯ型電圧レギュレータは、一端が電源端子に接続され、他端が前記出力端子に接続された出力トランジスタを備える。ＬＤＯ型電圧レギュレータは、一端が前記電源端子に接続され、ゲートが前記出力トランジスタのゲートに接続された第１の検出トランジスタを備える。ＬＤＯ型電圧レギュレータは、一端が前記第１の検出トランジスタの他端に接続された第１の制御トランジスタを備える。ＬＤＯ型電圧レギュレータは、前記出力トランジスタの他端の電圧と前記第１の検出トランジスタの他端の電圧とが等しくなるように、前記第１の制御トランジスタのゲート電圧を制御する第１のアンプ回路を備える。ＬＤＯ型電圧レギュレータは、一端が前記電源端子に接続され、ゲートが前記出力トランジスタのゲートに接続された第２の検出トランジスタを備える。ＬＤＯ型電圧レギュレータは、一端が前記第２の検出トランジスタの他端に接続された第２の制御トランジスタを備える。ＬＤＯ型電圧レギュレータは、前記出力トランジスタの他端の電圧と前記第２の検出トランジスタの他端の電圧とが等しくなるように、前記第２の制御トランジスタのゲート電圧を制御する第２のアンプ回路を備える。ＬＤＯ型電圧レギュレータは、第１の基準電圧と前記出力電圧が等しくなるように、前記出力トランジスタのゲート電圧を制御する第３のアンプ回路を備える。ＬＤＯ型電圧レギュレータは、前記電源電圧と前記出力電圧との電位差と、基準値とを比較し、この比較結果に基づいた比較結果信号を出力するコンパレータを備える。ＬＤＯ型電圧レギュレータは、前記第１の制御トランジスタの他端と固定電位との間に第１の抵抗値を有する第１の抵抗と、前記第２の制御トランジスタの他端と前記固定電位との間に第２の抵抗値を有する第２の抵抗と、を備える抵抗回路を備える。
【０００９】
ＬＤＯ型レギュレータは、前記電源電圧と前記出力電圧の電位差が基準値以上場合、前記第１の制御トランジスタの他端の電圧に基づいた検出電圧を出力ノードから出力し、一方、前記電位差が前記基準値よりも小さい場合、前記第２の制御トランジスタの他端の電圧に基づいた検出電圧を前記出力ノードから出力する。
【図面の簡単な説明】
【００１０】
【図１】図１は、第１の実施形態に係る受電装置１０００の構成の一例を示す回路図である。
【図２】図２は、比較例のＬＤＯ型電圧レギュレータの出力電流と検出電圧との関係の一例を示す図である。
【図３】図３は、第１の実施形態に係るＬＤＯ型電圧レギュレータの出力電流と検出電圧との関係の一例を示す図である。
【図４】図４は、第２の実施形態に係るＬＤＯ型電圧レギュレータ２００の構成の一例を示す回路図である。
【発明を実施するための形態】
【００１１】
以下、実施形態について図面に基づいて説明する。
【第１の実施形態】
【００１２】
図１は、第１の実施形態に係る受電装置１０００の構成の一例を示す回路図である。
【００１３】
図１に示すように、受電装置１０００は、送電装置（図示せず）から出力された電力を受電するようになっている。
【００１４】
この受電装置１０００は、例えば、バッテリを内蔵するスマートフォン、タブレットＰＣ等の携帯機器、または、これら機器に接続されるバッテリ充電用の機器である。他にも、対応する送電装置から出力された電力を受電するものであれば、受電装置１０００としては、充電式の電気自動車、家電製品、水中アプリケーション向けの製品、などであってもよい。
【００１５】
ここで、送電装置から受電装置１０００への電力伝送は、送電装置に設けられた送電コイル（一次コイル）と、受電装置１０００に設けられた受電コイル（二次コイル）Ｌｓと、を電磁的に結合させて電力伝送トランスを形成することで実現される。これにより、非接触で電力伝送が可能になる。
【００１６】
このように、受電装置１０００は、送電装置から無線給電によって送電された電力を受電し、得られた電流を整流して出力する。
【００１７】
この受電装置１０００は、例えば、図１に示すように、受電部１０１と、ＬＤＯ型電圧レギュレータ１００と、負荷部１０２と、を備える。
【００１８】
受電部１０１は、受電コイルＬｓと、受電コンデンサＣｓと、整流装置１０１ａと、を備える。
【００１９】
受電コイルＬｓは、第１の受電端子ＡＣ１と第２の受電端子ＡＣ２との間に接続され、送電装置の送電コイルと電磁結合する。
【００２０】
受電コンデンサＣｓは、第１の受電端子ＡＣ１と第２の受電端子ＡＣ２との間で、受電コイルＬｓと直列に接続されている。
【００２１】
整流装置１０１ａは、第１の受電端子ＡＣ１と第２の受電端子ＡＣ２との間の電圧を整流して電源端子ＴＶＤＤに供給する。
【００２２】
ＬＤＯ型電圧レギュレータ１００は、電源端子ＴＶＤＤの電圧から生成した出力電圧ＶＯＵＴを出力端子ＴＯＵＴから出力する。
【００２３】
負荷回路ＬＯは、出力電圧ＶＯＵＴが供給される。この負荷回路ＬＯは、例えば、バッテリを充電する充電回路や、システムＩＣ等である。  
ここで、ＬＤＯ型電圧レギュレータ１００は、例えば、図１に示すように、電源端子ＴＶＤＤと、出力端子ＴＯＵＴと、出力トランジスタＭａと、第１の検出トランジスタＭ１と、第１の制御トランジスタＴ１と、第１のアンプ回路ＡＭＰ１と、第２の検出トランジスタＭ２と、第２の制御トランジスタＴ２と、第２のアンプ回路ＡＭＰ２と、コンパレータＣＯＭＰ１と、第３のアンプ回路ＡＭＰ３と、抵抗回路ＲＣと、アナログ／デジタル変換回路１０と、を備える。
【００２４】
電源端子ＴＶＤＤは、受電部１０１から電源電圧ＰＶＤＤが供給される。
【００２５】
出力端子ＴＯＵＴは、出力電圧ＶＯＵＴが出力される。
【００２６】
出力トランジスタＭａは、一端（ソース）が電源端子ＴＶＤＤに接続され、他端（ドレイン）が出力端子ＴＯＵＴに接続されている。
【００２７】
第１の検出トランジスタＭ１は、一端（ソース）が電源端子ＴＶＤＤに接続され、ゲートが出力トランジスタＭａのゲートに接続されている。この第１の検出トランジスタＭ１は、出力トランジスタＭａに流れる出力電流ＩＯＵＴをカレントミラーした電流Ｉ１が流れる。
【００２８】
なお、この第１の検出トランジスタＭ１のサイズは、出力トランジスタＭａのサイズよりも、小さくなるように設定されている。
【００２９】
第１の制御トランジスタＴ１は、一端（ソース）が第１の検出トランジスタＭ１の他端（ドレイン）に接続されている。
【００３０】
第１のアンプ回路ＡＭＰ１は、出力トランジスタＭａの他端（ドレイン）の電圧と第１の検出トランジスタＭ１の他端（ドレイン）の電圧とが等しくなるように、第１の制御トランジスタＴ１のゲート電圧を制御する。
【００３１】
第２の検出トランジスタＭ２は、一端（ソース）が電源端子ＴＶＤＤに接続され、ゲートが出力トランジスタＭａのゲートに接続されている。この第２の検出トランジスタＭ２は、出力トランジスタＭａに流れる出力電流ＩＯＵＴをカレントミラーした電流Ｉ２が流れる。
【００３２】
なお、この第２の検出トランジスタＭ２のサイズは、出力トランジスタＭａのサイズよりも、小さくなるように設定されている。
【００３３】
第２の制御トランジスタＴ２は、一端（ソース）が第２の検出トランジスタＭ２の他端（ドレイン）に接続されている。
【００３４】
第２のアンプ回路ＡＭＰ２は、出力トランジスタＭａの他端（ドレイン）の電圧と第２の検出トランジスタＭ２の他端（ドレイン）の電圧とが等しくなるように、第２の制御トランジスタＴ２のゲート電圧を制御する。
【００３５】
第３のアンプ回路ＡＭＰ３は、第１の基準電圧ＶＲ１と出力電圧ＶＯＵＴが等しくなるように、出力トランジスタＭａのゲート電圧を制御する。
【００３６】
コンパレータＣＯＭＰ１は、非反転入力端子に電源電圧ＰＶＤＤが入力され、反転入力端子に出力電圧ＶＯＵＴに第２の基準電圧（基準値）ＶＲ２を加算した電圧が入力されている。そして、コンパレータＣＯＭＰ１は、これらの入力に応じて、比較結果信号Ｓｃを出力する。
【００３７】
すなわち、コンパレータＣＯＭＰ１は、電源電圧ＰＶＤＤと出力電圧ＶＯＵＴとの電位差と、基準値とを比較し、この比較結果に基づいた比較結果信号Ｓｃを出力する。
【００３８】
抵抗回路ＲＣは、比較結果信号Ｓｃに応じて、例えば、第１の制御トランジスタＴ１の他端（ドレイン）と固定電位との間の抵抗値を第１の抵抗値に設定し且つ第２の制御トランジスタＴ２の他端（ドレイン）と固定電位との間を遮断した第１の状態（１）になる。
【００３９】
そして、抵抗回路ＲＣは、上記第１の状態（１）において、第１の制御トランジスタＴ１の他端（ドレイン）の電圧に基づいた検出電圧Ｓｄを出力ノードＮから出力する。
【００４０】
なお、抵抗回路ＲＣは、比較結果信号Ｓｃが、該電位差が基準値以上であることを規定している場合、既述の第１の状態（１）に切り換える。
【００４１】
また、抵抗回路ＲＣは、比較結果信号Ｓｃに応じて、第１の制御トランジスタＴ１の他端（ドレイン）と固定電位との間を遮断し且つ第２の制御トランジスタＴ２の他端（ドレイン）と固定電位との間の抵抗値を第２の抵抗値に設定した第２の状態（２）になる。
【００４２】
そして、抵抗回路ＲＣは、上記第２の状態（２）において、第２の制御トランジスタＴ２の他端（ドレイン）の電圧に基づいた検出電圧Ｓｄを出力ノードＮから出力する。
【００４３】
なお、抵抗回路ＲＣは、比較結果信号Ｓｃが、該電位差が該基準値未満であることを規定している場合、既述の第２の状態（２）に切り換える。
【００４４】
このように、抵抗回路ＲＣは、比較結果信号Ｓｃに応じて、上記第１の状態（１）と、第２の状態（２）と、を切り換える。
【００４５】
なお、既述の固定電位は、例えば、接地電位である。
【００４６】
なお、既述の第１の抵抗値は、例えば、既述の第１の状態（１）において、第１の制御トランジスタＴ１の他端（ドレイン）の電圧が予め設定された目標値になるように、設定されている。
【００４７】
また、既述の第２の抵抗値は、既述の第２の状態（２）において、第２の制御トランジスタＴ２の他端（ドレイン）の電圧が上記目標値になるように、設定されている。
【００４８】
ここで、抵抗回路ＲＣは、例えば、図１に示すように、第１の可変抵抗Ｒ１と、第２の可変抵抗Ｒ２と、スイッチ回路ＳＷと、を備える。
【００４９】
第１の可変抵抗Ｒ１は、一端が第１の制御トランジスタＴ１の他端（ドレイン）に接続され、他端が該固定電位に接続されている。この第１の可変抵抗Ｒ１の抵抗値は、既述の第１の抵抗値に設定されている。
【００５０】
第２の可変抵抗Ｒ２は、一端が第２の制御トランジスタＴ２の他端（ドレイン）に接続され、他端が該固定電位に接続されている。この第２の可変抵抗Ｒ２の抵抗値は、既述の第２の抵抗値に設定されている。
【００５１】
また、スイッチ回路ＳＷは、既述の第１の状態（１）では、比較結果信号Ｓｃに基づいて、第１の制御トランジスタＴ１の他端（ドレイン）と出力ノードＮとを接続し、且つ第２の制御トランジスタＴ２の他端（ドレイン）と出力ノードＮとの間を遮断した状態になる。
【００５２】
一方、スイッチ回路ＳＷは、既述の第２の状態（２）では、比較結果信号Ｓｃに基づいて、第１の制御トランジスタＴ１の他端（ドレイン）と出力ノードＮとを遮断し、且つ第２の制御トランジスタＴ２の他端（ドレイン）と出力ノードＮとの間を接続した状態になる。
【００５３】
このように、スイッチ回路ＳＷは、比較結果信号Ｓｃに基づいて、第１の制御トランジスタＴ１の他端（ドレイン）と出力ノードＮとが接続され且つ第２の制御トランジスタＴ２の他端（ドレイン）と出力ノードＮとの間が遮断された第１の状態（１）と、第１の制御トランジスタＴ１の他端（ドレイン）と出力ノードＮとが遮断され且つ第２の制御トランジスタＴ２の他端（ドレイン）と出力ノードＮとの間が接続された第２の状態（２）と、切り換える。
【００５４】
すなわち、抵抗回路ＲＣは、比較結果信号Ｓｃに基づいて、スイッチ回路ＳＷを切り換えることにより、既述の第１の状態（１）と第２の状態（２）とを切り換える。
【００５５】
これにより、後述のように、電源電圧ＰＶＤＤと出力電圧ＶＯＵＴとの電位差に応じて、使用する第１、第２の検出トランジスタＭ１、Ｍ２を切り換えて、第１、第２の制御トランジスタＴ１、Ｔ２および抵抗回路ＲＣを調整する。その結果、電源電圧PVDDと出力電圧VOUTとの間の電圧差が変わっても、検出精度を向上させることができる。すなわち、電流値に応じて電源電圧PVDDの電圧値を変更させる無線給電の場合、広い電流値の範囲で検出精度を向上させることが可能となる。
【００５６】
また、アナログ／デジタル変換回路１０は、検出電圧Ｓｄをアナログ／デジタル変換し、出力信号ＳＯＵＴを出力する。
【００５７】
この出力信号ＳＯＵＴは、出力電流ＩＯＵＴの情報を含むものであり、受電装置１０００の受電電力を計算するために用いられる。
【００５８】
次に、以上のような構成を有するＬＤＯ型電圧レギュレータ１００の動作特性の一例について説明する。
【００５９】
ここで、図２は、比較例のＬＤＯ型電圧レギュレータの出力電流と検出電圧との関係の一例を示す図である。また、図３は、第１の実施形態に係るＬＤＯ型電圧レギュレータの出力電流と検出電圧との関係の一例を示す図である。なお、図２、図３において、ＬＤＯ状態とは、出力トランジスタのソース・ドレイン間電圧が大きい状態であり、ＳＷ状態とは、出力トランジスタのソース・ドレイン間電圧が小さい状態であり、スイッチング動作する状態である。
【００６０】
図２に示すように、比較例においては、第１、第２の制御トランジスタの調整が無いため、電源電圧ＰＶＤＤと出力電圧ＶＯＵＴとの電圧差が小さいＳＷ状態の検出電圧は理想値に近いが、この電圧差が大きいＬＤＯ状態の検出電圧が大きくなってしまっている。すなわち、電源電圧ＰＶＤＤと出力電圧ＶＯＵＴの電圧差によって電流検出精度が変わってしまう。
【００６１】
一方、図３に示すように、本実施形態においては、状態に合わせて第１、第２の制御トランジスタＴ１、Ｔ２および抵抗回路ＲＣを調整することで、各状態で電流検出特性が改善されていることが分かる。すなわち、電源電圧ＰＶＤＤと出力電圧ＶＯＵＴの電圧差による電流検出精度に対する影響が低減されている。
【００６２】
以上のように、本第１の実施形態に係るＬＤＯ型電圧レギュレータによれば、入力電圧が変動しても、より正確に電流検出することができる。
【第２の実施形態】
【００６３】
図４は、第２の実施形態に係るＬＤＯ型電圧レギュレータ２００の構成の一例を示す回路図である。なお、この図４において、図１と同じ符号は、第１の実施形態と同様の構成を示し、説明を省略する。この図４に示すＬＤＯ型電圧レギュレータ２００は、図１に示すＬＤＯ型電圧レギュレータ１００と同様に、受電装置１０００に適用される。
【００６４】
図４に示すように、ＬＤＯ型電圧レギュレータ２００は、第１の実施形態と同様に、電源端子ＴＶＤＤと、出力端子ＴＯＵＴと、出力トランジスタＭａと、第１の検出トランジスタＭ１と、第１の制御トランジスタＴ１と、第１のアンプ回路ＡＭＰ１と、第２の検出トランジスタＭ２と、第２の制御トランジスタＴ２と、第２のアンプ回路ＡＭＰ２と、コンパレータＣＯＭＰ１と、第３のアンプ回路ＡＭＰ３と、抵抗回路ＲＣと、アナログ／デジタル変換回路１０と、を備える。
【００６５】
ここで、抵抗回路ＲＣは、第１の実施形態と同様に、比較結果信号Ｓｃに応じて、既述の第１の状態（１）と、既述の第２の状態（２）と、を切り換える。
【００６６】
この抵抗回路ＲＣは、例えば、図４に示すように、可変抵抗Ｒｘと、スイッチ回路ＳＷａと、制御回路ＣＯＮと、を備える。
【００６７】
可変抵抗Ｒｘは、一端が出力ノードＮに接続され、他端が固定電位（既述のように、例えば、接地電位）に接続されている。
【００６８】
スイッチ回路ＳＷａは、比較結果信号Ｓｃに基づいて、第１の制御トランジスタＴ１の他端（ドレイン）と出力ノードＮとが接続され且つ第２の制御トランジスタＴ２の他端（ドレイン）と出力ノードＮとの間が遮断された第１の状態（１）と、第１の制御トランジスタＴ１の他端（ドレイン）と出力ノードＮとが遮断され且つ第２の制御トランジスタＴ２の他端（ドレイン）と出力ノードＮとの間が接続された第２の状態（２）と、切り換える。
【００６９】
制御回路ＣＯＮは、比較結果信号Ｓｃに基づいて（比較結果信号Ｓｃが、該電位差が基準値以上であることを規定している場合）、第１の状態（１）において、可変抵抗Ｒｘの抵抗値を既述の第１の抵抗値に設定する。
【００７０】
一方、制御回路ＣＯＮは、比較結果信号Ｓｃに基づいて（比較結果信号Ｓｃが、該電位差が該基準値未満であることを規定している場合）、第２の状態（２）において、可変抵抗Ｒｘの抵抗値を既述の第２の抵抗値に設定する。
【００７１】
このように、ＬＤＯ型電圧レギュレータ２００は、抵抗回路ＲＣの具体的な回路構成が、第１の実施形態のＬＤＯ型電圧レギュレータ１００と異なる。
【００７２】
なお、ＬＤＯ型電圧レギュレータ２００のその他の構成は、第１の実施形態のＬＤＯ型電圧レギュレータ１００と同様である。
【００７３】
ここで、以上のような構成を有するＬＤＯ型電圧レギュレータ２００の動作特性は、第１の実施形態のＬＤＯ型電圧レギュレータ１００と同様である。
【００７４】
すなわち、本第２の実施形態に係るＬＤＯ型電圧レギュレータによれば、入力電圧が変動しても、より正確に電流検出することができる。
【００７５】
なお、実施形態は例示であり、発明の範囲はそれらに限定されない。
【符号の説明】
【００７６】
１０００  受電装置
１００、２００  ＬＤＯ型電圧レギュレータ  
１０１  受電部
１０２  負荷部
ＴＶＤＤ  電源端子
ＴＯＵＴ  出力端子
Ｍａ  出力トランジスタ
Ｍ１  第１の検出トランジスタ
Ｔ１  第１の制御トランジスタ
ＡＭＰ１  第１のアンプ回路
Ｍ２  第２の検出トランジスタ
Ｔ２  第２の制御トランジスタ
ＡＭＰ２  第２のアンプ回路
ＣＯＭＰ  コンパレータ
ＡＭＰ３  第３のアンプ回路
ＲＣ  抵抗回路
１０  アナログ／デジタル変換回路
【図１】
2015172904.tif 000003
【図２】
2015172904.tif 000004
【図３】
2015172904.tif 000005
【図４】
2015172904.tif 000006